(57)【要約】【課題】  医療用コンピュータシステムに用いられるキーボードを媒介とした院内感染をできるだけ防止することを目的とする。【解決手段】  キーボード３を覆う抗菌性のキーボードカバー１０を装着する際にリセット操作部４が操作されると、タイマー部５により計時を開始するとともに、キーボード３の各キーが操作される回数をカウントするカウント部６がカウントした回数をリセットする。そして、タイマー部５により計測された時間が所定の時間以上となり、かつ、カウント部６によりカウントした回数が所定の回数以上となった場合に、キーボードカバー１０が交換時期であることを報知部８により報知するようにしている。従って、交換時期の報知によりキーボードカバー１０を交換することで、キーボードカバー１０の抗菌剤の効き目が維持され、キーボード３を媒介とした院内感染をできるだけ防止することができる。【選択図】図１
2009134428.tif 000002
【特許請求の範囲】
【請求項１】
複数のキーを備え、前記複数のキーを操作することによりデータの入力を行うためのキーボードと、
前記複数のキーを使用可能な状態としたままで前記キーボードを覆う抗菌性のキーボードカバーを装着する際に操作されるリセット操作部と、
前記リセット操作部の操作により計時を開始するタイマー部と、
前記複数のキーが操作される回数をカウントし、前記リセット操作部の操作により前記回数をリセットするカウント部と、
前記キーボードカバーが交換時期であることを報知する報知部と、
前記タイマー部により計時された時間が所定の時間以上となり、かつ、前記カウント部によりカウントした回数が所定の回数以上となった場合に、前記報知部を動作させる制御部と、
を備えたことを特徴とする医療用コンピュータシステム。
【発明の詳細な説明】
【技術分野】
【０００１】
本発明は、医療用コンピュータシステムに関し、特に、菌や汚れからキーボードを守るキーボードカバーを備えた医療用コンピュータシステムに関するものである。
【背景技術】
【０００２】
病院などにおいて、入院患者の健康状態を把握するために、看護師などの医療従事者は、入院患者の体温や心拍数、血圧、呼吸数、体重、食事内容などの健康状態情報を取得して看護支援用のコンピュータなどに入力している。看護支援用のコンピュータは、入力された健康状態情報を記憶するだけではなく、それらの情報に基づいて、各入院患者の看護計画の作成を行うために使用される。
【０００３】
また、病院などでは、ナースコールシステムが用いられている。ナースコールシステムは、病院内の入院患者が医療従事者のサポートを必要とする際に、患者が呼出ボタン等を押下することによって医療従事者を呼び出すことができるように成されたシステムである。ナースコールシステムは、ベッドサイドやトイレ、浴室などに設置されるナースコール子機と、ナースセンタに設置されるナースコール親機とを備えて構成されている。さらに、医療従事者が携帯するＰＨＳ（Ｐｅｒｓｏｎａｌ  Ｈａｎｄｙｐｈｏｎｅ  Ｓｙｓｔｅｍ）端末とＰＢＸ（Ｐｒｉｖａｔｅ  Ｂｒａｎｃｈ  Ｅｘｃｈａｎｇｅ：電話交換機）とを組み合わせたナースコールシステムも提案されている。また、この種のナースコールシステムにおいて、ナースコール親機としてコンピュータを使用するものも知られている。
【０００４】
ところで、上述したような看護師援用のコンピュータやナースコール親機用のコンピュータなどの医療用コンピュータシステムは、データ入力のためのキーボードを備えている。このようなキーボードはナースセンターなどで使用されるため、キーボードが院内感染の媒介となってしまうことが問題となっていた。そのため、キーボードを抗菌剤入り樹脂で成型されたキーボードカバーで覆う技術が知られている（例えば、特許文献１を参照）。
【特許文献１】特開２００６−３３０９５４号
【０００５】
しかしながら、前述した特許文献１に記載の技術では、キーボードカバーを長期間に渡って使用し続けた場合に、キーボードカバーの抗菌剤の効き目が弱くなって、院内感染を防止することができなくなってしまうという問題があった。
【発明の開示】
【発明が解決しようとする課題】
【０００６】
本発明は、このような問題を解決するために成されたものであり、医療用コンピュータシステムに用いられるキーボードを媒介とした院内感染をできるだけ防止することを目的とする。
【課題を解決するための手段】
【０００７】
上記した課題を解決するために、本発明では、キーボードの各キーを使用可能な状態としつつキーボードを覆う抗菌性のキーボードカバーを装着する際にリセット操作部が操作されると、タイマー部により計時を開始するとともに、キーボードのキーが操作される回数をカウントするカウント部がカウントした回数をリセットして、タイマー部により計測された時間が所定の時間以上となり、かつ、カウント部によりカウントした回数が所定の回数以上となった場合に、キーボードカバーが交換時期であることを報知部により報知するようにしている。
【発明の効果】
【０００８】
上記のように構成した本発明によれば、抗菌性のキーボードカバーの使用期間と使用頻度とに基づいてキーボードカバーの交換時期が報知される。これにより、使用頻度の少ないキーボードカバーについては、人の手に触れられて抗菌剤の効き目が弱くなることがないと判断して、その交換時期を延ばすことで、より適切な交換時期に報知を行うことができる。従って、キーボードカバーの交換時期の報知によりキーボードカバーを交換することで、キーボードカバーの抗菌剤の効き目が維持され、キーボードを媒介とした院内感染をできるだけ防止することができる。
【発明を実施するための最良の形態】
【０００９】
以下、本発明の一実施形態を図面に基づいて説明する。図１は、本実施形態による医療用コンピュータシステム１の構成例を示すブロック図である。ここで、医療用コンピュータシステム１は、看護支援システムやナースコールシステムとして使用されるものであり、そのハードウェアの構成は、一般的なコンピュータシステムと同等である。
【００１０】
図１に示すように、本実施形態による医療用コンピュータシステム１は、制御部２、キーボード３、リセット操作部４、タイマー部５、カウント部６、記憶部７、報知部８、モニター部９を備えて構成されている。制御部２は、医療用コンピュータシステム１の各構成要素を後述するように制御する。
【００１１】
キーボード３は、医療用コンピュータシステム１にデータを入力するためのものである。また、キーボード３は、図２に示すように、その表面をキーボードカバー１０により常に覆われている。ここで、キーボードカバー１０は、キーボードカバー１０を媒介として院内感染が起こらないように、抗菌剤入りの樹脂により成型されている。また、キーボードカバー１０に使用されている抗菌剤は、人が触ったり時間が経過したりすることによりその効果が得られなくなっていく。そのため、抗菌剤の効果が得られなくなったキーボードカバー１０は、新しいキーボードカバー１０に交換する必要がある。
【００１２】
また、キーボード３を覆った状態でもキーボード３の各キーに表示された文字を医療従事者が視認することができるように、キーボードカバー１０は、透光性を有する樹脂により成型されている。また、キーボード３を覆った状態でもキーボード３の各キーを医療従事者が操作することができるように、キーボードカバー１０は、軟質の樹脂により成型されている。
【００１３】
リセット操作部４は、抗菌剤の効果が得られなくなったキーボードカバー１０を新しいキーボードカバー１０に交換した際に、医療従事者などにより操作されるものである。ここで、リセット操作部４は、医療用コンピュータシステム１に別途設置されるようにしても良いが、新たに専用のリセット操作ボタンを設けたり、キーボード３にリセット操作部４を設けたりすると、医療用コンピュータシステム１の汎用性が失われてしまうので、医療用コンピュータシステム１に使用されるソフトウェアによりリセット操作部４を実現することが好ましい。
【００１４】
タイマー部５は、時間を計測するためのものであり、リセット操作部４が操作されると、タイマー部５は計時を開始する。ここで、制御部２は、タイマー部５により計測された時間が所定の時間以上となったか否かを判定する。なお、所定の時間は、キーボードカバー９の寿命などの条件によって決定される。また、所定の時間を示す所定時間情報は、記憶部７に記憶されている。
【００１５】
カウント部６は、キーボード３の各キーが操作される回数をカウントするためのものであり、リセット部４が操作されると、カウント部６はカウントした回数をリセットする。ここで、制御部２は、カウント部６によりカウントされた回数が所定の回数以上となったか否かを判定する。なお、所定の回数は、キーボードカバー１０がどれくらい触られたら抗菌剤の効果が得られなくなるかなどの条件により決定される。また、所定の回数を示す所定回数情報は、記憶部７に記憶されている。
【００１６】
記憶部７は、所定時間情報および所定回数情報を記憶する。これらの情報は、使用されるキーボードカバー１０によって、他の値に設定しなおすことも可能である。報知部８は、キーボードカバー１０が交換時期となったことを報知するためのものであり、モニター部９にその旨を表示したり、図示しないスピーカからその旨を音声により出力したりすることで、キーボードカバー１０が交換時期となったことを報知する。ここで、制御部２は、タイマー部５により計測された時間が所定の時間以上となったと判断し、かつ、カウント部６によりカウントされた回数が所定の回数以上となったと判断した場合に、報知部８を動作させる。
【００１７】
モニター部９は、看護支援システムやナースコールシステムとして必要な情報を表示するためのものであり、液晶ディスプレイなどにより構成されている。また、モニター部９は、図３に示すように、キーボードカバー１０が交換時期となったことを報知する報知部８として利用される。このとき、モニター部９には、「キーボードカバーの交換時期です」といった文字が表示される。また、モニター部９は、図３に示すように、リセット操作部４として利用される。このとき、医療従事者などは、図示しないマウスなどの操作装置によってモニター部９上に表示されているポインタ１１を、「交換済」と表示されているリセット操作部４上の移動させて決定の操作を行う。すると、制御部２は、リセット操作部４が操作されたと判断して前述した処理を行う。
【００１８】
以上詳しく説明したように、本実施形態では、抗菌性のキーボードカバー１０をキーボード３に装着する際にリセット操作部４が操作されると、タイマー部５により計時を開始するとともに、キーボード３の各キーが操作される回数をカウントするカウント部６がカウントした回数をリセットする。そして、タイマー部５により計測された時間が所定の時間以上となり、かつ、カウント部６によりカウントした回数が所定の回数以上となった場合に、キーボードカバー１０が交換時期であることを報知部８により報知するようにしている。
【００１９】
これにより、抗菌性のキーボードカバー１０の使用期間と使用頻度とに基づいてキーボードカバー１０の交換時期が報知される。そのため、使用頻度の少ないキーボードカバー１０については、人の手に触れられて抗菌剤の効き目が弱くなることがないと判断して、その交換時期を延ばすことで、より適切な交換時期に報知を行うことができる。従って、交換時期の報知によりキーボードカバー１０を交換することで、キーボードカバー１０の抗菌剤の効き目が維持され、キーボード３を媒介とした院内感染をできるだけ防止することができる。同様に、キーボード３に装着されているキーボードカバー１０を媒介とした院内感染をもできるだけ防止することができる。
【００２０】
なお、本実施形態では、キーボード３を覆った状態でもキーボード３の各キーに表示された文字を視認することができるように、キーボードカバー１０は、透光性を有する樹脂により成型されているが、これに限定されない。例えば、キーボードカバー１０を透光性の無い樹脂により成型し、その各キーに対応する部分に各キーの表示内容を印刷しておくようにしても良い。これにより、キーボードカバー１０を構成する樹脂のバリエーションを増やすことができる。
【００２１】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【図面の簡単な説明】
【００２２】
【図１】本実施形態による医療用コンピュータシステムの構成例を示すブロック図である。
【図２】本実施形態による医療用コンピュータシステムに使用されるキーボードおよび抗菌性キーボードカバーの例を示す図である。
【図３】本実施形態による医療用コンピュータシステムに使用されるモニター部の例を示す図である。
【符号の説明】
【００２３】
１    医療用コンピュータシステム
２    制御部
３    キーボード
４    リセット操作部
５    タイマー部
６    カウント部
７    記憶部
８    報知部
９    モニター部
１０    キーボードカバー
１１    ポインタ
【図１】
2009134428.tif 000003
【図２】
2009134428.tif 000004
【図３】
2009134428.tif 000005